(57)【要約】【課題】光源を所望の輝度で点灯させることができる表示装置を提供する。【解決手段】ＨＵＤ装置は、電流Ｉを供給する給電部３００と、給電部３００からの電流Ｉを受けて異なる色の光を発する複数の光源１１と、光源１１に電流Ｉが供給される際に、電流Ｉにより電荷が蓄えられるインダクタと、光の反射する角度を制御する複数のマイクロミラーを有する表示素子３０と、複数の光源１１のうち何れか一つに電流Ｉを供給することで発光させ、発光する光源１１を順次切り替えるフィールドシーケンシャル方式にて所望の色の照明光を生成するとともに、マイクロミラーを通じて照明光のうち表示画像に対応した光を反射させる第１及び第２の制御部１００，２００と、を備える。さらに、ＨＵＤ装置は、第１及び第２の制御部１００，２００による制御のもと、光源１１が点灯される前に、インダクタに蓄えられる電荷をグランドに放出する電荷放出部７００を備える。【選択図】図４
2017146401.tif 000002
【特許請求の範囲】
【請求項１】
電流を供給する給電部と、
前記給電部からの電流を受けて、それぞれ異なる色の光を発する複数の光源と、
前記各光源に電流が供給される際に、前記電流により電荷が蓄えられる電荷部と、
光の反射する角度を制御する複数の反射部を有する表示素子と、
前記複数の光源のうち何れか一つの光源に前記給電部からの電流を供給することで前記何れか一つの光源を発光させ、発光する前記光源を順次切り替えるフィールドシーケンシャル方式にて前記複数の光源から発される光から所望の色の照明光を生成するとともに、前記反射部を通じて前記照明光のうち表示画像に対応した光を反射させる制御部と、を備えた表示装置であって、
前記制御部による制御のもと、前記光源が点灯される前に、前記電荷部に蓄えられる電荷を放出する電荷放出部を備えた、
ことを特徴とする表示装置。
【請求項２】
前記制御部は、少なくとも、輝度の高い高輝度モードと、前記高輝度モードより輝度の低い低輝度モードとで前記光源を駆動可能であり、前記低輝度モードにおいては、前記光源が点灯される前に、前記電荷放出部を通じて前記電荷部に蓄えられる電荷を放出する、
ことを特徴とする請求項１に記載の表示装置。
【請求項３】
前記複数の光源に対応して設けられ、前記制御部による制御のもとオン状態となったときに前記給電部から対応する前記光源に電流を供給するスイッチ部を備え、
前記制御部は、
前記光源を点灯する前に一定時間にわたって、前記電荷放出部を通じて、蓄えられる電荷を放出し、さらに、前記一定時間において前記光源に供給できなかった電流エネルギーを補充するように、前記一定時間の経過後、前記スイッチ部をオン状態とする期間を延長する、
ことを特徴とする請求項１又は２に記載の表示装置。
【発明の詳細な説明】
【技術分野】
【０００１】
本発明は、表示装置に関する。
【背景技術】
【０００２】
従来から表示装置として、例えば、表示素子であるＤＭＤ（Digital Micro-mirror Device）が設けられた構成が知られている。この種の表示装置は、ＤＭＤが有する複数のマイクロミラーにて照明光を反射させることで画像光を生成する。例えば、特許文献１に記載の表示装置は、それぞれ赤色、緑色及び青色の光を発する３つの光源のうち何れか一つを選択的に発光させ、発光する光源を高速で切り替えることで所望の色の照明光を生成する、いわゆるフィールドシーケンシャル方式により動作する。
より具体的には、図１３に示すように、この種の表示装置においては、表示期間Ｆａと非表示期間Ｆｂとが交互に繰り返される。表示期間Ｆａにおいては、表示素子及び光源の駆動を通じて画像が生成される。非表示期間Ｆｂにおいては、全ての光源が消灯されるとともに、ＤＭＤのマイクロミラーの故障を抑制するようにマイクロミラーが駆動される。また、この表示装置は、図１３に示すように、高い光源の輝度が要求される際、各光源に高輝度用の電流Ｉｈを供給する。一方、この表示装置は、図１４に示すように、低い光源の輝度が要求される際、各光源に上記電流Ｉｈより小さい低輝度用の電流Ｉｌを供給する。
【０００３】
また、この種の表示装置は、例えば、特許文献２に記載されるように、逆起電力発生用のコイルと、電流方向を制御し、コイルに生じた逆起電力を光源に供給するために設けられたダイオードと、を備える。
【先行技術文献】
【特許文献】
【０００４】
【特許文献１】特開２０１４−０１０４１７号公報
【特許文献２】特開２０１４−１０７４４０号公報
【発明の概要】
【発明が解決しようとする課題】
【０００５】
上記特許文献２に記載の構成においては、フィールドシーケンシャル方式にて選択された第１の光源に電流が供給される際、その電流により第１の光源に対応する第１のコイルに電荷が蓄えられる。次に、第２の光源に電流が供給される際、その電流に第１のコイルに蓄えられた電荷が重畳する。これにより、図１３に示すように、各光源への電流供給開始時ｔ１，ｔ２，ｔ３…において、各光源へ供給される電流ＩｈにノイズとしてリップルＲｐが重畳する。このリップルＲｐが重畳することで、所望の輝度より高い輝度にて光源が点灯されるおそれがあり、ひいては、表示装置における階調表示に影響が生じるおそれがある。特に、図１４に示すように、低い光源の輝度が要求される場合、各光源へ供給される電流Ｉｌが小さくなるため、その電流Ｉｌに対してリップルＲｐが占める割合が大きくなる。このため、特に、光源の輝度が低い場合には、リップルＲｐが光源の輝度に与える影響が大きくなる。
【０００６】
本発明は、上記実状を鑑みてなされたものであり、光源を所望の輝度で点灯させることができる表示装置を提供することを目的とする。
【課題を解決するための手段】
【０００７】
上記目的を達成するため、本発明の表示装置は、電流を供給する給電部と、前記給電部からの電流を受けて、それぞれ異なる色の光を発する複数の光源と、前記各光源に電流が供給される際に、前記電流により電荷が蓄えられる電荷部と、光の反射する角度を制御する複数の反射部を有する表示素子と、前記複数の光源のうち何れか一つの光源に前記給電部からの電流を供給することで前記何れか一つの光源を発光させ、発光する前記光源を順次切り替えるフィールドシーケンシャル方式にて前記複数の光源から発される光から所望の色の照明光を生成するとともに、前記反射部を通じて前記照明光のうち表示画像に対応した光を反射させる制御部と、を備えた表示装置であって、前記制御部による制御のもと、前記光源が点灯される前に、前記電荷部に蓄えられる電荷を放出する電荷放出部を備える。
【発明の効果】
【０００８】
本発明によれば、光源を所望の輝度で点灯させることができる。
【図面の簡単な説明】
【０００９】
【図１】本発明の一実施形態に係るヘッドアップディスプレイ装置が搭載された車両の模式図である。
【図２】本発明の一実施形態に係るヘッドアップディスプレイ装置の構成を示す概略図である。
【図３】本発明の一実施形態に係る照明装置の構成を示す概略図である。
【図４】本発明の一実施形態に係る光源駆動装置の電気的構成を示すブロック図である。
【図５】本発明の一実施形態に係る論理回路の電気的構成を示すブロック図である。
【図６】本発明の一実施形態に係る光源駆動回路の構成を示す電気的構成を示す回路図である。
【図７】本発明の一実施形態に係る（ａ）〜（ｆ）は、高輝度モードである場合のサブフレームにおける各種信号と駆動電流を示すタイミングチャートである。
【図８】本発明の一実施形態に係る（ａ）〜（ｆ）は、低輝度モードである場合のサブフレームにおける各種信号と駆動電流を示すタイミングチャートである。
【図９】本発明の一実施形態に係る（ａ）は表示期間における第２の制御部の処理手順を示すフローチャートであり、（ｂ）は低輝度モードにおける第２の制御部の処理手順を示すフローチャートである。
【図１０】本発明の一実施形態に係る表示素子の状態と各光源に供給される電流を示すタイミングチャートである。
【図１１】本発明の一実施形態に係る表示期間における表示素子の状態と各種信号を示すタイミングチャートである。
【図１２】本発明の変形例における表示期間における表示素子の状態と各種信号を示すタイミングチャートである。
【図１３】背景技術に係る高輝度時における表示素子の状態と各光源に供給される電流を示すタイミングチャートである。
【図１４】背景技術に係る低輝度時における表示素子の状態と各光源に供給される電流を示すタイミングチャートである。
【発明を実施するための形態】
【００１０】
本発明に係る表示装置をヘッドアップディスプレイ装置（以下、ＨＵＤ装置と記載）に具体化した一実施形態について図面を参照して説明する。
【００１１】
図１に示すように、ＨＵＤ装置１は、車両２のダッシュボードに設置され、画像Ｍ（図２参照）を表す表示光Ｌを生成し、生成した表示光Ｌをウインドシールド３に向けて出射する。この表示光Ｌは、ウインドシールド３で反射したうえで視認者４（主に、車両２の運転者）に到達する。これにより、視認者４は、ウインドシールド３の前方に形成された画像Ｍを表す虚像Ｖを視認可能となる。画像Ｍには、車両２に関する情報（例えば、エンジン回転数、ナビゲーション情報等）が表示される。
【００１２】
（ＨＵＤ装置１の構成）
図２に示すように、ＨＵＤ装置１は、照明装置１０と、光強度検出部５００と、照明光学系２０と、表示素子３０と、光源駆動装置５と、投射光学系４０と、スクリーン５０と、平面鏡６１と、凹面鏡６２と、筐体７０と、透光部７１と、備える。
【００１３】
筐体７０は、例えば、遮光性の材質により箱状に形成されている。筐体７０内には、照明装置１０、照明光学系２０等のＨＵＤ装置１の各構成が収納される。筐体７０には、表示光Ｌが通過する開口部７０ａが形成されている。
透光部７１は、アクリル等の透光性樹脂からなり、筐体７０の開口部７０ａを塞ぐように設けられている。透光部７１は、到達した外光が視認者４に向かって反射することを抑制するため、例えば湾曲形状に形成されている。
【００１４】
照明装置１０は、照明光Ｃを生成し、その生成した照明光Ｃを照明光学系２０に向けて出射する。具体的には、照明装置１０は、図３に示すように、光源１１と、回路基板１２と、合波部１３と、輝度ムラ低減部１４と、透過膜１５と、を備える。
【００１５】
光源１１は、例えば、それぞれＬＥＤ（Light Emitting Diode）からなる３つの光源１１ｒ，１１ｇ，１１ｂから構成されている。光源１１ｒは赤色光Ｒを発し、光源１１ｇは緑色光Ｇを発し、光源１１ｂは青色光Ｂを発する。光源１１ｒ，１１ｇ，１１ｂの各々は、後述するように光源駆動装置５によって駆動され、所定の光強度及びタイミングで発光する。
【００１６】
回路基板１２は、プリント回路板からなる。回路基板１２には、光源１１ｒ，１１ｇ，１１ｂが実装されている。
【００１７】
ダイクロイックミラー１３ｃは、光源１１ｒ，１１ｇ，１１ｂから順次出射される赤色光Ｒ、緑色光Ｇ又は青色光Ｂの光軸を合わせることで照明光Ｃを生成し、その照明光Ｃを輝度ムラ低減部１４に向けて出射する。
具体的には、合波部１３は、反射ミラー１３ａと、特定の波長の光を反射し、かつ、当該特定の波長以外のその他の波長の光を透過するダイクロイックミラー１３ｂ，１３ｃと、から構成されている。反射ミラー１３ａは、光源１１ｂの出射側に位置する。反射ミラー１３ａは、入射した青色光Ｂを、ダイクロイックミラー１３ｂに向けて反射させる。ダイクロイックミラー１３ｂは、光源１１ｇの出射側に位置する。ダイクロイックミラー１３ｂは、入射した緑色光Ｇをダイクロイックミラー１３ｃに向けて反射させつつ、反射ミラー１３ａからの青色光Ｂをそのまま透過させる。ダイクロイックミラー１３ｃは、光源１１ｒの出射側に位置する。ダイクロイックミラー１３ｃは、入射した赤色光Ｒを輝度ムラ低減部１４に向けて反射させつつ、ダイクロイックミラー１３ｂからの光Ｂ，Ｇをそのまま透過させる。
【００１８】
輝度ムラ低減部１４は、ミラーボックス、アレイレンズ等からなり、合波部１３からの照明光Ｃを乱反射、散乱、屈折させることで光のムラを低減する。
【００１９】
透過膜１５は、例えば５％程度の反射率を有する透過性部材からなり、輝度ムラ低減部１４を介して到達した照明光Ｃの大部分をそのまま透過させるが、一部の光を光強度検出部５００に向けて反射させる。
【００２０】
光強度検出部５００は、例えばフォトダイオードを有する受光素子からなり、透過膜１５で反射した照明光Ｃを受ける位置に設けられている。光強度検出部５００は、照明光Ｃの一部を受光し、照明光Ｃを構成する光Ｒ、Ｇ、Ｂそれぞれの光強度を時分割で検出する。
【００２１】
照明光学系２０は、図２に示すように、凹状のレンズ等からなり、照明装置１０から出射された照明光Ｃを表示素子３０に対応した大きさに調整する。
【００２２】
表示素子３０は、図２に示すように、反射部の一例である複数の可動式のマイクロミラー３０ａを備えたＤＭＤからなる。このマイクロミラー３０ａは、図示しない電極を備え、この電極に印加される電圧値を切り替えることでオン／オフの何れかの状態となる。マイクロミラー３０ａがオンのとき、マイクロミラー３０ａは、ヒンジを支点に例えば＋１２度傾斜した姿勢を取って、このとき照明光学系２０から出射された照明光Ｃを、投射光学系４０を経てスクリーン５０に向けて反射する。マイクロミラー３０ａがオフのときは、マイクロミラー３０ａは、ヒンジを支点に例えば−１２度傾斜した姿勢を取って、このとき照明光Ｃを投射光学系４０とは異なる方向に反射する。従って、表示素子３０は、光源駆動装置５（具体的には後述する第２の制御部２００）による制御のもと、各マイクロミラー３０ａを個別に駆動することにより、照明光Ｃのうち画像Ｍに対応する光のみを投射光学系４０に向けて投射する。
【００２３】
投射光学系４０は、凹レンズ又は凸レンズ等で構成され、表示素子３０からの表示光Ｌをスクリーン５０に効率良く投射する。
【００２４】
スクリーン５０は、ホログラフィックディフューザ、マイクロレンズアレイ、拡散板等から構成され、投射光学系４０からの表示光Ｌを背面（図２中下側の面）で受光し、前面（図２中上側の面）に画像Ｍを表示する。
【００２５】
平面鏡６１は、スクリーン５０に表示された画像Ｍを表す表示光Ｌを、凹面鏡６２に向けて反射させる。
凹面鏡６２は、平面鏡６１からの表示光Ｌをウインドシールド３に向けて反射する。この表示光Ｌは、筐体７０の透光部７１を透過したうえでウインドシールド３に到達する。これにより、結像される虚像Ｖは、スクリーン５０に表示された画像Ｍよりも拡大される。
【００２６】
（光源駆動装置５の構成）
光源駆動装置５は、図４に示すように、光源１１に電流Ｉを供給する給電部３００と、光源１１を駆動させる光源駆動部４００と、表示素子３０を制御する第２の制御部２００と、光源駆動部４００及び第２の制御部２００を制御する第１の制御部１００と、を備える。これら光源駆動装置５の各構成は、例えば、筐体７０内に配設された回路基板１２以外のプリント回路基板（図示せず）に実装されている。なお、回路基板１２上に光源駆動装置５の一部又は全部の構成が実装されていてもよい。第１及び第２の制御部１００，２００は制御部の一例である。
【００２７】
光源駆動装置５は、図１０に示すように、画像Ｍを表示する制御周期であるフレームＦ毎に制御を行う。フレームＦは、表示期間Ｆａ及び非表示期間Ｆｂを備える。光源駆動装置５は、表示期間Ｆａにおいては、画像Ｍを生成するように、表示素子３０の各マイクロミラー３０ａ及び光源１１を駆動させる。光源駆動装置５は、表示期間Ｆａにおいては、サブフレームＦｓ毎に異なる光源１１ｒ，１１ｇ，１１ｂに電流Ｉ（ＩＲ，ＩＧ，ＩＢ）が供給されることで光源１１ｒ，１１ｇ，１１ｂを順次点灯させるフィールドシーケンシャル方式により光源１１を駆動する。また、光源駆動装置５は、非表示期間Ｆｂにおいては、光源１１ｒ，１１ｇ，１１ｂを全て消灯し、フレームＦにおけるマイクロミラー３０ａのオン期間とオフ期間とが略同一となるように表示素子３０のマイクロミラー３０ａを駆動させる。非表示期間Ｆｂが設定されることで、表示素子３０の各マイクロミラー３０ａが故障することが抑制される。
【００２８】
第１の制御部１００は、図４に示すように、ＣＰＵ（中央処理装置）、メモリ等を備えるマイクロコントローラからなる。第１の制御部１００には、車両２の車両ＥＣＵ（Electronic Control Unit）６から、ＬＶＤＳ（Low Voltage Differential Signal）通信等によって、画像Ｍを表示するための映像信号が入力される。
第１の制御部１００は、入力された映像信号を図示しない画像処理ＩＣ（Integrated Circuit）などを経由させて第２の制御部２００に出力する。なお、車両ＥＣＵ６からの映像信号は、第１の制御部１００を経由せずに、第２の制御部２００に、図示しない画像処理ＩＣなどを経由して、直接入力されてもよい。
また、第１の制御部１００は、この映像信号の要求する表示画像Ｍを表示素子３０に表示させるための表示制御データと、この表示制御データに基づく表示素子３０の駆動に合わせて、光源１１ｒ，１１ｇ，１１ｂを駆動させる照明制御データと、を第２の制御部２００に出力する。
また、第１の制御部１００には、車両ＥＣＵ６から、照度センサ７を通じて検出された車両２の周辺の外部照度信号（調光信号）ＳＬが入力される。
【００２９】
第１の制御部１００は、外部照度信号ＳＬに応じて光源駆動部４００を介して光源１１の発光強度（輝度）を調整する。第１の制御部１００は、光源１１の発光強度を調整するべく、車両ＥＣＵ６からの外部照度信号ＳＬに基づき閾値となる基準信号ＳＡを生成し、その基準信号ＳＡを光源駆動部４００（正確には後述する比較回路４１０）に出力する。より具体的には、例えば、第１の制御部１００は、自身の不揮発性のメモリに記憶される外部照度信号ＳＬが示す強度値と設定値とを対応づけたテーブルデータを参照し、このテーブルデータを参照することで、車両ＥＣＵ６からの外部照度信号ＳＬが示す強度値に対応した設定値を取得する。そして、第１の制御部１００は、取得した設定値に応じたデューティー比のパルス信号を出力し、このパルス信号を積分回路からなるアナログ変換器（図示略）によりアナログ信号に変換し、このアナログ信号を基準信号ＳＡとして光源駆動部４００（正確には後述する比較回路４１０）に出力する。第１の制御部１００は、光源１１ｒ，１１ｇ，１１ｂのうち選択された一つを発光させる期間であるサブフレームＦｓ（図７、図８参照）毎に大きさの異なる基準信号ＳＡを出力する。具体的には、第１の制御部１００は、赤色光源１１ｒが発光するサブフレームＦｓと、緑色光源１１ｇが発光するサブフレームＦｓと、青色光源１１ｂが発光するサブフレームＦｓと、の発光色の異なるサブフレームＦｓ毎に基準信号ＳＡを異ならせる。
【００３０】
第２の制御部２００は、図４に示すように、所望の機能をハードウェアで実現するＬＳＩ（Large Scale Integration）であり、例えば、ＡＳＩＣ（Application Specific Integrated Circuit）やＦＰＧＡ（Field Programmable Gate Array）などから構成されている。
【００３１】
第２の制御部２００は、第１の制御部１００による制御のもと、光源駆動部４００（正確には、後述する論理回路４２０）に制限信号ＳＣを出力する。制限信号ＳＣは、図７（ｄ）又は図８（ｄ）に示すように、光源１１の点灯を許可する旨を示すオン、及び光源１１の点灯を禁止する旨を示すオフの何れかの状態にある。
第１の制御部１００は、第２の制御部２００を介して、外部照度信号ＳＬの値に基づきサブフレームＦｓにおける制限信号ＳＣのオンデューティ比を設定し、その設定したオンデューティ比の制限信号ＳＣを出力する。具体的には、第１の制御部１００は、車両ＥＣＵ６から外部照度信号ＳＬを取得し、その取得した外部照度信号ＳＬが閾値未満である場合、言い換えると、ＨＵＤ装置１の周囲が暗いと想定される場合、図８（ｄ）に示すように、第２の制御部２００からオンデューティ比が低い制限信号ＳＣ１を出力させる。一方、第１の制御部１００は、その取得した外部照度信号ＳＬが閾値以上である場合、言い換えると、ＨＵＤ装置１の周囲が明るいと想定される場合、図７（ｄ）に示すように、第２の制御部２００からオンデューティ比が高い制限信号ＳＣ２を出力させる。
【００３２】
第２の制御部２００は、第１の制御部１００からの表示制御データに基づき、表示素子３０における各マイクロミラー３０ａをＰＷＭ（Pulse Width Modulation）方式によりオン／オフ制御する。
第２の制御部２００は、第１の制御部１００からの照明制御データに応じて光源１１の発光タイミングを制御するイネーブル信号ＥＮ（Ｒ−ＥＮ，Ｇ−ＥＮ，Ｂ−ＥＮ）を生成し、その生成したイネーブル信号ＥＮを光源駆動部４００（正確には、後述する論理回路４２０）に出力する。第２の制御部２００は、イネーブル信号ＥＮとして、光源１１ｒに対応する赤色イネーブル信号Ｒ−ＥＮと、光源１１ｇに対応する緑色イネーブル信号Ｇ−ＥＮと、光源１１ｂに対応する青色イネーブル信号Ｂ−ＥＮと、をそれぞれ異なるタイミングで出力する。イネーブル信号ＥＮは、対応する光源１１の点灯を許可する旨を示すオン、及び対応する光源１１の点灯を禁止する旨を示すオフの何れかの状態にある。第２の制御部２００は、イネーブル信号ＥＮの出力を通じて、光源１１の発光タイミングを表示素子３０の画面制御に同期させる。
また、詳しくは後述するが、第２の制御部２００は、イネーブル信号ＥＮがオフからオンに切り替わったとき（図１１の時刻ｔａ参照）に、蓄えられた電荷の放出を指示する電荷放出信号ＳＧを光源駆動部４００（正確には、後述する電荷放出部７００）に出力する。なお、第１の制御部１００がイネーブル信号ＥＮ（Ｒ−ＥＮ，Ｇ−ＥＮ，Ｂ−ＥＮ）を生成し、その生成したイネーブル信号ＥＮを第２の制御部２００を介さずに光源駆動部４００（後述する論理回路４２０）に出力してもよい。
【００３３】
光源駆動部４００は、図４に示すように、所望の機能をハードウェアで実現するＬＳＩであり、例えば、第２の制御部２００とは独立したＡＳＩＣやＦＰＧＡ、またはアナログ回路から構成されている。
光源駆動部４００は、基準信号ＳＡと光強度検出信号ＳＦＢとの比較を行う比較回路４１０と、光源１１ｒ，１１ｇ，１１ｂを点灯又は消灯させるスイッチ部４３１，４３２，４３３からなる光源駆動回路４３０と、スイッチ部４３１，４３２，４３３を制御する駆動信号ＳＤを出力する論理回路４２０と、光源１１への電流供給の際に蓄えられた電荷を外部に放出する電荷放出部７００と、を備える。
簡単に説明すると、光源駆動部４００は、照明装置１０が出射する照明光Ｃの光強度に基づく光強度検出信号ＳＦＢを受けて、この光強度検出信号ＳＦＢから光源１１を駆動するための駆動信号ＳＤを生成し、この駆動信号ＳＤに基づきスイッチ部４３１，４３２，４３３をオン又はオフさせることで光源１１を点灯又は消灯させる。
【００３４】
詳しくは、比較回路４１０は、比較器（Comparator）からなり、光強度検出部５００からの光強度検出信号ＳＦＢと第１の制御部１００からの基準信号ＳＡとの比較を行い、比較結果として比較信号ＳＢを論理回路４２０及び第２の制御部２００へ出力する。
具体的には、比較回路４１０は、図７（ｂ），（ｃ）に示すように、光強度検出信号ＳＦＢが基準信号ＳＡを超えたとき比較信号ＳＢをオフとする。このように比較信号ＳＢをオフとした場合、図７（ｆ）に示すように、光源１１に流れる電流Ｉ（図中の電流ＩＲ）が低下するため、これにより、光源１１の発光強度のフィードバックデータである光強度検出信号ＳＦＢが基準信号ＳＡ未満となるまで減少する。
また、比較回路４１０は、図７（ｂ），（ｃ）に示すように、光強度検出信号ＳＦＢが基準信号ＳＡ以下であるとき比較信号ＳＢをオンとする。このように比較信号ＳＢをオンとした場合、図７（ｆ）に示すように、光源１１に流れる電流Ｉ（図中の電流ＩＲ）が増加するため、これにより、光源１１の発光強度のフィードバックデータである光強度検出信号ＳＦＢが基準信号ＳＡを超えるまで増加する。
このように、光強度検出信号ＳＦＢが基準信号ＳＡ以下となったり、光強度検出信号ＳＦＢが基準信号ＳＡを超えたりを繰り返すことで、比較回路４１０は、オンとオフを繰り返すパルス信号である比較信号ＳＢを生成する。
なお、光強度検出部５００と比較回路４１０との間には、図示しない増幅回路が設けられており、光強度検出信号ＳＦＢは、この増幅回路により増幅された上で比較回路４１０に入力されてもよい。この増幅回路は、上述したように、第１の制御部１００が、車両ＥＣＵ６から入力される外部照度信号ＳＬに応じてゲインを決定する。
【００３５】
論理回路４２０は、制限信号ＳＣ、イネーブル信号ＥＮ及び比較信号ＳＢを受けて、それら信号ＳＣ，ＥＮ，ＳＢに基づき、光源１１ｒ，１１ｇ，１１ｂに対応するスイッチ部４３１，４３２，４３３をオン又はオフする。
具体的には、論理回路４２０は、図５に示すように、第一ＡＮＤ回路４２１と、赤色ＡＮＤ回路４２２と、緑色ＡＮＤ回路４２３と、青色ＡＮＤ回路４２４と、を備える。
【００３６】
第一ＡＮＤ回路４２１は、第２の制御部２００からの制限信号ＳＣと比較回路４１０からの比較信号ＳＢとを入力し、制限信号ＳＣ及び比較信号ＳＢのＡＮＤ信号である駆動信号ＳＤを各ＡＮＤ回路４２２，４２３，４２４に出力する。
すなわち、第一ＡＮＤ回路４２１は、図８（ｃ）〜（ｅ）に示すように、制限信号ＳＣがオンとなるオン時間Ｔｏｎにおいては、比較信号ＳＢと略同一の波形の駆動信号ＳＤを出力する。よって、制限信号ＳＣのオン時間Ｔｏｎにおいては、比較信号ＳＢがオンのときには駆動信号ＳＤがオンとなり、比較信号ＳＢがオフのときには駆動信号ＳＤがオフとなる。また、第一ＡＮＤ回路４２１は、制限信号ＳＣがオフとなるオフ時間Ｔｏｆにおいては、比較信号ＳＢに関わらず駆動信号ＳＤをオフとする。
【００３７】
赤色ＡＮＤ回路４２２は、図５に示すように、第２の制御部２００からの赤色イネーブル信号Ｒ−ＥＮと第一ＡＮＤ回路４２１からの駆動信号ＳＤとを入力し、赤色イネーブル信号Ｒ−ＥＮ及び駆動信号ＳＤのＡＮＤ信号である赤色駆動信号ＳＤＲを赤色スイッチ部４３１に出力する。また、緑色ＡＮＤ回路４２３は、第２の制御部２００からの緑色イネーブル信号Ｇ−ＥＮと第一ＡＮＤ回路４２１からの駆動信号ＳＤとを入力し、緑色イネーブル信号Ｇ−ＥＮ及び駆動信号ＳＤのＡＮＤ信号である緑色駆動信号ＳＤＧを緑色スイッチ部４３２に出力する。青色ＡＮＤ回路４２４は、第２の制御部２００からの青色イネーブル信号Ｂ−ＥＮと第一ＡＮＤ回路４２１からの駆動信号ＳＤとを入力し、青色イネーブル信号Ｂ−ＥＮ及び駆動信号ＳＤのＡＮＤ信号である青色駆動信号ＳＤＢを青色スイッチ部４３３に出力する。
【００３８】
図７（ａ）及び図８（ａ）に示す所定のサブフレームＦｓにおいては、イネーブル信号ＥＮのうち赤色イネーブル信号Ｒ−ＥＮのみがオンとなっている。この場合、図７（ｅ）及び図８（ｅ）に示すように、赤色ＡＮＤ回路４２２は、第一ＡＮＤ回路４２１からの駆動信号ＳＤと同一波形の赤色駆動信号ＳＤＲを出力する。このサブフレームＦｓにおいて、緑色ＡＮＤ回路４２３及び青色ＡＮＤ回路４２４は、それぞれオフ状態の緑色イネーブル信号Ｇ−ＥＮ及び青色イネーブル信号Ｂ−ＥＮを入力するため、オフ状態にある緑色駆動信号ＳＤＧ及び青色駆動信号ＳＤＢを出力する。
【００３９】
給電部３００は、図４に示すように、電源ＩＣ（Integrated Circuit）、トランジスタを用いたスイッチング回路等からなる。給電部３００は、各光源１１ｒ，１１ｇ，１１ｂのアノード側に接続されている。給電部３００は、車両２のバッテリー（図示略）からの電力を受けて、第１の制御部１００による制御のもとで光源１１に適切な電圧を生成し、その電圧を光源１１に印加する。これにより、光源１１ｒ，１１ｇ，１１ｂに電流ＩＲ，ＩＧ，ＩＢが供給される。
【００４０】
スイッチ部４３１，４３２，４３３は、例えば、ｎ型チャネルのＦＥＴ（Field Effect Transistor）を用いたスイッチング素子からなる。スイッチ部４３１，４３２，４３３は、論理回路４２０からの駆動信号ＳＤＲ，ＳＤＧ，ＳＤＢに応じてオン状態又はオフ状態に切り替える。
図６に示すように、赤色スイッチ部４３１は赤色光源１１ｒのカソード側に接続され、緑色スイッチ部４３２は緑色光源１１ｇのカソード側に接続され、青色スイッチ部４３３は青色光源１１ｂのカソード側に接続される。赤色スイッチ部４３１は、赤色ＡＮＤ回路４２２からの赤色駆動信号ＳＤＲがオンのときにオン状態となる。赤色スイッチ部４３１がオン状態にあるとき、給電部３００から赤色光源１１ｒに電流ＩＲが供給され、これにより赤色光源１１ｒは赤色光Ｒを発する。また、赤色スイッチ部４３１は、赤色ＡＮＤ回路４２２からの赤色駆動信号ＳＤＲがオフのときにオフ状態となる。赤色スイッチ部４３１がオフ状態にあるとき赤色光源１１ｒは消灯状態となる。これと同様に、緑色スイッチ部４３２及び青色スイッチ部４３３についても、緑色駆動信号ＳＤＧ及び青色駆動信号ＳＤＢのオン又はオフに応じて緑色光源１１ｇ及び青色光源１１ｂを点灯又は消灯する。
【００４１】
例えば、図７（ｅ）に示すように、所定のサブフレームＦｓにおいて、赤色スイッチ部４３１には、オン及びオフを繰り返すパルス信号からなる駆動信号ＳＤが入力される。よって、赤色スイッチ部４３１はオン及びオフを繰り返すため、図７（ｆ）に示すように、赤色光源１１ｒに流れる電流ＩＲは複数のパルスＰから構成される。図１１の例では、図中の下段に示すように、１つのサブフレームＦｓにおいては、赤色光源１１ｒに流れる電流ＩＲは３つのパルスＰ１〜Ｐ３から構成される。他のサブフレームＦｓにおいて、他の光源１１ｇ，１１ｂに流れる電流ＩＧ，ＩＢについても同様に複数のパルスＰから構成される。光源１１の輝度は、光源１１に供給される電流値の大きさと、電流Ｉが流される時間（換言するとパルスＰの数）とに基づき決まる。なお、図１０の例では、各光源１１ｒ，１１ｇ，１１ｂには、供給電流ＩＲ，ＩＧ，ＩＢとして低輝度用の電流Ｉｌが供給されている。
【００４２】
図６に示すように、光源駆動回路４３０は、上述したスイッチ部４３１，４３２，４３３に加えて、各光源１１ｒ，１１ｇ，１１ｂに対応して設けられる逆起電力回路５３ｒ，５３ｇ，５３ｂを備える。各逆起電力回路５３ｒ，５３ｇ，５３ｂは、それぞれ電荷部の一例であるインダクタ（コイル）５１ｒ，５１ｇ，５１ｂと、ダイオード５２ｒ，５２ｇ，５２ｂと、を備える。各インダクタ５１ｒ，５１ｇ，５１ｂは、対応する光源１１ｒ，１１ｇ，１１ｂのアノード側に直列接続されている。また、各ダイオード５２ｒ，５２ｇ，５２ｂは、対応するインダクタ５１ｒ，５１ｇ，５１ｂ及び光源１１ｒ，１１ｇ，１１ｂに並列接続される。
ダイオード５２ｒ，５２ｇ，５２ｂは、そのカソード側をインダクタ５１ｒ，５１ｇ，５１ｂと給電部３００との間に接続され、アノード側を光源１１ｒ，１１ｇ，１１ｂのカソード側に接続される。ダイオード５２ｒ，５２ｇ，５２ｂは、スイッチ部４３１，４３２，４３３がオン又はオフされる際、インダクタ５１ｒ，５１ｇ，５１ｂが生成する逆起電力を、対応する光源１１ｒ，１１ｇ，１１ｂに供給する。
【００４３】
電荷放出部７００は、図４に示すように、給電部３００と各光源１１ｒ，１１ｇ，１１ｂのカソード側との間に接続されている。具体的には、電荷放出部７００は、図６に示すように、第２の制御部２００による制御のもとオンされることで各インダクタ５１ｒ，５１ｇ，５１ｂに蓄えられる電荷を放出するスイッチ部７００Ｓと、給電部３００から電荷放出部７００に過電流が流れ込むことを抑制する抵抗７００Ｒと、を備える。スイッチ部７００Ｓ及び抵抗７００Ｒは直列に接続されている。スイッチ部７００Ｓは、例えばＦＥＴにより構成され、そのソース端子が抵抗７００Ｒの一端に接続され、そのドレイン端子がグランドに接続されている。抵抗７００Ｒの他端は給電部３００に接続されている。また、スイッチ部７００Ｓのゲート端子には、第２の制御部２００からの電荷放出信号ＳＧが入力される。
【００４４】
（電荷放出部７００の動作）
例えば、図１０に示すように、赤色光源１１ｒに電流ＩＲを供給するためのサブフレームＦｓ１が開始する時刻ｔａにおいては、当該サブフレームＦｓ１の直前のサブフレームＦｓ２において青色光源１１ｂに電流ＩＢが供給されていたため、青色光源１１ｂに対応するインダクタ５１ｂには電荷が蓄えられている。図６に示すように、第２の制御部２００は、後述する低輝度モードにあるとき、サブフレームＦｓ１が開始する時刻ｔａにおいてオン状態の電荷放出信号ＳＧをスイッチ部７００Ｓに出力する。スイッチ部７００Ｓは、時刻ｔａからオン時間Ｔｃｔにわたって、第２の制御部２００からオン状態の電荷放出信号ＳＧを受けて、オン状態（通電状態）となる。これにより、インダクタ５１ｂに蓄えられた電荷は、図６の一点鎖線で示す流路Ｌａに示すように、抵抗７００Ｒ及びスイッチ部７００Ｓを経てグランドに流れる。オン時間Ｔｃｔは、インダクタ５１ｂに蓄えられた全ての電荷がグランドに流れるのに要する時間以上に設定されている。
図１１に示すように、スイッチ部７００Ｓがオン状態にある期間（電荷放出信号ＳＧのオン時間Ｔｃｔ）においては、赤色光源１１ｒに供給される電流ＩＲがゼロとなる。よって、インダクタ５１ｂに蓄えられた電荷が赤色光源１１ｒに流れること、ひいては、図１１の破線で示すように、サブフレームＦｓ１の開始直後のパルスＰ０にリップルＲｐが重畳することが抑制される。
【００４５】
また、第２の制御部２００は、図１１に示すように、電荷放出信号ＳＧのオン時間Ｔｃｔに基づき追加時間Ｔａｄを設定し、その追加時間Ｔａｄだけ制限信号ＳＣのオン時間Ｔｏｎ、すなわち、赤色スイッチ部４３１をオン状態とする時間を延長する。この追加時間Ｔａｄにおいては、電荷放出信号ＳＧのオン時間Ｔｃｔにより赤色光源１１ｒに供給されなかった電流ＩＲのパルスＰ０と同数（本例では１つ）のパルスＰ３が追加される。
第２の制御部２００は、追加時間Ｔａｄを電荷放出信号ＳＧのオン時間Ｔｃｔと同一時間に設定してもよい。また、第２の制御部２００は、第１の制御部１００を通じて電流ＩのパルスＰの数をカウントし、そのカウントしたパルスＰの数が所定値（図１１の例では３つ）に達するように追加時間Ｔａｄを設定してもよい。追加時間Ｔａｄが設定されることで、電荷放出部７００を動作させる時間（電荷放出信号ＳＧのオン時間Ｔｃｔ）に、光源１１に供給できなかった電流エネルギーを補うことができ、これにより、電荷放出部７００を動作させた場合でも、所望の光源１１の輝度を実現することができる。
なお、ここでは、赤色光源１１ｒに電流ＩＲを供給するためのサブフレームＦｓ１における電荷放出部７００の動作を説明したが、その他の光源１１ｇ，１１ｂに電流ＩＧ，ＩＢを供給するためのサブフレームにおいても電荷放出部７００が上記同様に動作する。
また、上述したリップルＲｐは、インダクタ５１ｒ，５１ｇ，５１ｂに蓄えられた電荷による影響が支配的ではあるが、光源１１の寄生容量に蓄えられた電荷による影響も存在すると考えられる。すなわち、上述したリップルＲｐは、光源１１の寄生容量に蓄えられた電荷によるものも含まれていてもよい。この場合、光源１１の寄生容量は電荷部に相当する。
【００４６】
（第２の制御部２００の処理手順）
次に、図９（ａ），（ｂ）のフローチャートを参照しつつ、電荷放出部７００を通じてインダクタ５１ｒ，５１ｇ，５１ｂに蓄えられた電荷を放出する際の第２の制御部２００の処理手順について説明する。なお、第２の制御部２００は、図９（ａ），（ｂ）のフローチャートに係る処理と同時に、表示素子３０に関する制御も行っている。
【００４７】
図９（ａ）に示すように、第２の制御部２００は、表示期間Ｆａにおいて、第１の制御部１００を通じて外部照度信号（調光信号）ＳＬを認識し、その外部照度信号ＳＬの値がメモリ（図示略）に予め記憶される閾値Ｔｈ以上であるか否かを判断する（Ｓ１０１）。光源１１の輝度は、外部照度信号ＳＬに対応した輝度となる。
第２の制御部２００は、車両２の周囲が明るい場合、外部照度信号ＳＬの値が閾値Ｔｈ以上である旨判断し（Ｓ１０１でＹＥＳ）、高輝度モードに移行した（Ｓ１０２）後、図９（ａ）に係るフローチャートを終了する。一方、第２の制御部２００は、車両２の周囲が暗い場合、外部照度信号ＳＬの値が閾値Ｔｈ未満である旨判断し（Ｓ１０１でＮＯ）、低輝度モードに移行した（Ｓ１０３）後、図９（ａ）に係るフローチャートを終了する。図９（ａ）に係るフローチャートは、表示期間Ｆａにおいて繰り返し実行される。
すなわち、本例では、外部照度信号ＳＬの値を通じて光源１１の輝度が認識されている。
ここで、光源１１の輝度が低いほど、光源１１に供給される電流Ｉが小さくなるため、電流Ｉに対するリップルＲｐが占める割合が大きくなる。これにより、リップルＲｐによる光源１１の輝度への影響が大きくなる。閾値Ｔｈは、リップルＲｐによる光源１１の輝度への影響が大きいと予想される外部照度信号ＳＬの値に基づき設定される。
【００４８】
図９（ｂ）に示すように、低輝度モードにおいては、第２の制御部２００は、サブフレームＦｓの開始時（例えば、図１１の時刻ｔａ）に、イネーブル信号ＥＮをオフからオンに切り替える（Ｓ２０１）。それと同時に、第２の制御部２００は、電荷放出信号ＳＧをオフからオンに切り替え、その後、オン時間Ｔｃｔにわたって電荷放出信号ＳＧをオンに維持する（Ｓ２０２）。第２の制御部２００は、電荷放出信号ＳＧのオン時間Ｔｃｔが経過して電荷放出信号ＳＧを再びオフに切り替えた後、上述した追加時間Ｔａｄを含むオン時間Ｔｏｎにわたって制限信号ＳＣをオフからオンに切り替える（Ｓ２０３）。第２の制御部２００は、低輝度モードにあるとき、上記ステップＳ２０１〜Ｓ２０３の処理を、サブフレームＦｓ毎に繰り返し実行する（Ｓ２０４）。
なお、第２の制御部２００は、高輝度モードにおいては、電荷放出信号ＳＧをオフに維持することで電荷放出部７００を動作させずに、かつサブフレームＦｓの開始時（時刻ｔａ）に制限信号ＳＣをオフからオンに切り替え、その開始時から一定時間Ｔｏｎにわたって制限信号ＳＣをオンに維持する。
【００４９】
（効果）
以上、説明した一実施形態によれば、以下の効果を奏する。
【００５０】
（１）ＨＵＤ装置１は、電流Ｉを供給する給電部３００と、給電部３００からの電流Ｉを受けて、それぞれ異なる色の光を発する複数の光源１１ｒ，１１ｇ，１１ｂと、光源１１ｒ，１１ｇ，１１ｂに電流Ｉが供給される際に、その電流Ｉにより電荷が蓄えられるインダクタ５１ｒ，５１ｇ，５１ｂと、光の反射する角度を制御する複数のマイクロミラー３０ａを有する表示素子３０と、複数の光源１１ｒ，１１ｇ，１１ｂのうち何れか一つの光源１１ｒ，１１ｇ，１１ｂに給電部３００からの電流Ｉを供給することで何れか一つの光源１１ｒ，１１ｇ，１１ｂを発光させ、発光する光源１１ｒ，１１ｇ，１１ｂを順次切り替えるフィールドシーケンシャル方式にて複数の光源１１ｒ，１１ｇ，１１ｂから発される光Ｒ，Ｇ，Ｂから所望の色の照明光Ｃを生成するとともに、マイクロミラー３０ａを通じて照明光Ｃのうち表示画像Ｍに対応した光を反射させる第１及び第２の制御部１００，２００と、を備える。さらに、ＨＵＤ装置１は、第１及び第２の制御部１００，２００による制御のもと、光源１１ｒ，１１ｇ，１１ｂが点灯される前に、インダクタ５１ｒ，５１ｇ，５１ｂに蓄えられる電荷をグランドに放出する電荷放出部７００を備える。
この構成によれば、電荷放出部７００により、インダクタ５１ｒ，５１ｇ，５１ｂに蓄えられる電荷がグランドに放出されるため、その電荷に起因して光源１１ｒ，１１ｇ，１１ｂへ供給される電流ＩにリップルＲｐが重畳することが抑制される。よって、リップルＲｐによる光源１１ｒ，１１ｇ，１１ｂの輝度への影響を低減することができ、光源１１ｒ，１１ｇ，１１ｂを所望の輝度で点灯させることができる。これにより、ＨＵＤ装置１における画像Ｍの階調表示を良好にすることができる。
【００５１】
（２）第１及び第２の制御部１００，２００は、少なくとも、輝度の高い高輝度モードと、高輝度モードより輝度の低い低輝度モードとで光源１１を駆動可能であり、低輝度モードにおいては、光源１１が点灯される前に、電荷放出部７００を通じてインダクタ５１ｒ，５１ｇ，５１ｂに蓄えられる電荷を放出する。
一般的に、各光源１１ｒ，１１ｇ，１１ｂに供給される電流Ｉが小さいほど、その電流Ｉに対するリップルＲｐが占める割合が大きくなる。このため、特に、光源１１の輝度が低いときには、リップルＲｐが輝度に与える影響は大きくなる。
上記構成によれば、光源１１ｒ，１１ｇ，１１ｂの輝度が低い場合（低輝度モードの場合）にのみ、電荷放出部７００によって、インダクタ５１ｒ，５１ｇ，５１ｂに蓄えられる電荷がグランドに放出されて、リップルＲｐが光源１１の輝度に影響を与えることが抑制される。
また、光源１１ｒ，１１ｇ，１１ｂの輝度が高い場合（高輝度モードの場合）には、第１及び第２の制御部１００，２００によって電荷放出部７００を動作させる制御が不要となることから、第１及び第２の制御部１００，２００の制御負担を低減することができる。さらに、光源１１ｒ，１１ｇ，１１ｂの輝度が高い場合には、電荷放出部７００が動作する時間がなくなるため、必要に応じて光源１１ｒ，１１ｇ，１１ｂの輝度を最大限に高めることが可能となる。
【００５２】
（３）ＨＵＤ装置１は、複数の光源１１ｒ，１１ｇ，１１ｂに対応して設けられ、第１及び第２の制御部１００，２００による制御のもとオン状態となったときに給電部３００から対応する光源１１ｒ，１１ｇ，１１ｂに電流Ｉが供給されるスイッチ部４３１〜４３３を備える。第１及び第２の制御部１００，２００は、光源１１ｒ，１１ｇ，１１ｂを点灯する前に一定時間（電荷放出信号ＳＧのオン時間Ｔｃｔ）にわたって、電荷放出部７００を通じて、インダクタ５１ｒ，５１ｇ，５１ｂに蓄えられる電荷を放出し、さらに、その一定時間において光源１１ｒ，１１ｇ，１１ｂに供給できなかった電流エネルギーを補充するように、一定時間の経過後、追加時間Ｔａｄだけスイッチ部４３１〜４３３をオン状態とする期間を延長する。
この構成によれば、電荷放出部７００を通じてインダクタ５１ｒ，５１ｇ，５１ｂに蓄えられる電荷を放出した場合に、追加時間Ｔａｄだけスイッチ部４３１〜４３３をオン状態とする期間、すなわち光源１１ｒ，１１ｇ，１１ｂに電流供給する時間が延長される。このため、電荷放出部７００が動作した場合であっても、光源１１の輝度が低下することが抑制される。
【００５３】
（変形例）
なお、上記実施形態は、これを適宜変更した以下の形態にて実施することができる。
【００５４】
上記実施形態においては、図１１に示すように、第２の制御部２００は、サブフレームＦｓ１が開始する時刻ｔａに、電荷放出信号ＳＧをオンに切り替えていたが、電荷放出信号ＳＧのオンへの切り替えタイミングはこれに限定されず、サブフレームＦｓ１の直前のサブフレームＦｓ２において電荷放出信号ＳＧをオンへ切り替えてもよい。例えば、図１２に示すように、第２の制御部２００は、サブフレームＦｓ１が開始する時刻ｔａよりも前の時刻ｔｂに、電荷放出信号ＳＧをオンに切り替えて、インダクタ５１ｒ，５１ｇ，５１ｂに蓄えられる電荷をグランドに放出してもよい。この構成によれば、サブフレームＦｓが開始する時刻ｔａから光源１１に電流Ｉを供給することができる。
【００５５】
上記実施形態において、第１の制御部１００の制御内容の一部を、第２の制御部２００が実行してもよいし、反対に、第２の制御部２００の制御内容の一部を、第１の制御部１００が実行してもよい。また、第１及び第２の制御部１００，２００は一つの制御部として構成されてもよい。
【００５６】
上記実施形態においては、第２の制御部２００は、低輝度モードにあるときにのみ、
電荷放出信号ＳＧをオンすることで電荷放出部７００を動作させていたが、光源１１の輝度に関わらず、電荷放出部７００を動作させてもよい。この場合、図９（ａ）のフローチャートに係る処理を省略することができ、表示期間Ｆａにおいては図９（ｂ）のフローチャートに係る処理が繰り返し実行される。
【００５７】
上記実施形態においては、図１１に示すように、第２の制御部２００は、電荷放出信号ＳＧのオン時間Ｔｃｔにおいては、制限信号ＳＣをオフとしていたが、制限信号ＳＣをオンとしてもよい。
【００５８】
上記実施形態においては、電荷放出部７００は、抵抗７００Ｒを備えていたが、この抵抗７００Ｒを省略してもよい。
【００５９】
上記実施形態において、光源１１ｒ，１１ｇ，１１ｂは、それぞれ独立した光源１１として構成されているが、共通の光源１１から複数の色の光を出射するものであってもよい。また、光源１１は、複数色の光を出射するものであればよく、２色のみで構成されてもよく、また、４色（白色も含む）以上で構成されていてもよい。
また、１つの光源１１から複数色の光を出射する場合、各光源１１ｒ、１１ｇ、１１ｂの光軸を合わす合波部１３を省略してもよい。
【００６０】
上記実施形態においては、光強度検出部５００は、照明光Ｃの一部の光路に設置されていたが、光Ｒ、Ｇ、Ｂそれぞれの光強度を検出することができればよく、例えば、合波される前の光Ｒ、Ｇ、Ｂそれぞれの光強度を検出できる箇所に設けられていてもよい。また、光強度検出部５００は、照明光学系２０から出射された照明光Ｃの一部の光強度を検出できる箇所に適宜設けられていてもよい。
【００６１】
上記実施形態では、本発明に係る表示装置を車載用のヘッドアップディスプレイ装置に適用したが、車載用に限らず、飛行機、船等の乗り物に搭載されるヘッドアップディスプレイ装置に適用してもよい。また、ＨＵＤ装置１からの表示光Ｌはウインドシールド３に投射されていたが、専用のコンバイナに投射されてもよい。また、本発明に係る表示装置をヘッドアップディスプレイ装置ではなく、屋内又は屋外で使用されるプロジェクタ等の表示装置に適用してもよい。
【００６２】
上記実施形態では、第２の制御部２００は、外部照度信号ＳＬの値に基づき高輝度モード及び低輝度モードの何れかに移行していたが、これに限られず、ＨＵＤ装置１に外光強度を取得する照度センサ（図示しない）を設け、このＨＵＤ装置１に設けた照度センサからの信号に基づき高輝度モード及び低輝度モードの何れかに移行してもよい。また、ＨＵＤ装置１や車両２に設けられた図示しない操作部を視認者４が操作することで、上記モードを移行してもよい。また、車両２のライトをオン・オフするスイッチの操作に応じて、上記モードを移行してもよい。
【符号の説明】
【００６３】
１…ＨＵＤ装置
２…車両
３…ウインドシールド
４…視認者
５…光源駆動装置
６…車両ＥＣＵ
７…照度センサ
１０…照明装置
１１…光源
１１ｒ…赤色光源
１１ｇ…緑色光源
１１ｂ…青色光源
１２…回路基板
１３…合波部
１４…輝度ムラ低減部
１５…透過膜
２０…照明光学系
３０…表示素子
３０ａ…マイクロミラー
４０…投射光学系
５０…スクリーン
５１ｒ，５１ｇ，５１ｂ…インダクタ
５２ｒ，５２ｇ，５２ｂ…ダイオード
５３ｒ，５３ｇ，５３ｂ…逆起電力回路
６１…平面鏡
６２…凹面鏡
７０…筐体
７１…透光部
１００…第１の制御部
２００…第２の制御部
３００…給電部
４００…光源駆動部
４１０…比較回路
４２０…論理回路
４２１…第一ＡＮＤ回路
４２２…赤色ＡＮＤ回路
４２３…緑色ＡＮＤ回路
４２４…青色ＡＮＤ回路
４３０…光源駆動回路
４３１…赤色スイッチ部
４３２…緑色スイッチ部
４３３…青色スイッチ部
５００…光強度検出部
７００…電荷放出部
７００Ｓ…スイッチ部
７００Ｒ…抵抗
【図１】
2017146401.tif 000003
【図２】
2017146401.tif 000004
【図３】
2017146401.tif 000005
【図４】
2017146401.tif 000006
【図５】
2017146401.tif 000007
【図６】
2017146401.tif 000008
【図７】
2017146401.tif 000009
【図８】
2017146401.tif 000010
【図９】
2017146401.tif 000011
【図１０】
2017146401.tif 000012
【図１１】
2017146401.tif 000013
【図１２】
2017146401.tif 000014
【図１３】
2017146401.tif 000015
【図１４】
2017146401.tif 000016